(57)【要約】【課題】特定波長の光を遮断及び透過できる新生児用の照明器具。【解決手段】セード11、赤外線遮断作用を有するハロゲンランプ１、アーム16を有しており、さらにセード11の開口部近傍に波長650nm以下の光を遮断し、波長650nmを超える可視光を透過できる光制御作用を有している光制御フィルタ20が取り付けられている新生児用の照明器具10。【選択図】図４
0003168393.tif 000002
【実用新案登録請求の範囲】
【請求項１】
口金、ミラー、電球及びミラーの開口部を覆う保護ガラスを有するハロゲンランプであって、
前記保護ガラスの表面に金属、金属酸化物及び金属フッ化物から選ばれたものからなる薄膜層を有しており、
前記薄膜層を有する保護ガラスが、赤外線を遮断できる赤外線遮断作用を有しているものであるハロゲンランプ。
【請求項２】
前記保護ガラスが、常用使用温度が２００℃以上であること及び最高使用温度が４００℃以上であることの少なくも一方を満たす耐熱ガラスである、請求項１又は２記載のハロゲンランプ。
【請求項３】
前記保護ガラス表面に形成された薄膜層が、金属、金属酸化物及び金属フッ化物から選ばれたものからなる蒸着膜層である、請求項１又は２記載のハロゲンランプ。
【請求項４】
前記保護ガラス表面に形成された薄膜層が、銀、金、プラチナ、アルミニウム、クロム、亜鉛、ニッケルから選ばれた金属、TiO2、Nb2O5、Ta2O5、Al2O3、SiO2、ZrO2から選ばれた金属酸化物及びMgF2からなる蒸着膜層である、請求項１〜３のいずれか１項記載のハロゲンランプ。
【請求項５】
セードと、セード内に収容されたハロゲンランプ、セードに接続されたアームを少なくとも有している新生児用の照明器具であって、
前記ハロゲンランプとして、請求項１〜４のいずれか１項記載のハロゲンランプが使用され、
前記セード内に、熱可塑性樹脂及び着色成分を含む樹脂組成物からなる平板状成形体であって、波長６５０ｎｍ以下の光を遮断し、波長６５０ｎｍを超える任意の可視光を透過できる光制御作用を有している光制御フィルタが配置されている、新生児用の照明器具。
【請求項６】
照明器具が卓上照明器具である、請求項５記載の新生児用の照明器具。
【請求項７】
照明器具がデスクランプ又はアームライトである、請求項５又は６記載の新生児用の照明器具。
【考案の詳細な説明】
【技術分野】
【０００１】
本考案は、ハロゲンランプ及びそれを用いた、新生児が入る新生児室等で使用できる新生児用の照明器具に関する。
【背景技術】
【０００２】
病院の新生児室は、授乳や緊急時のために終日照明器具が点灯されている。しかし、終日照明器具を点灯していると、光により新生児の睡眠障害が引き起こされることが知られている（非特許文献１）。
このような問題を解決するため、波長６５０ｎｍ以下又は波長６２０ｎｍ以下の光を遮断できる保育器フード用カバーが知られている（特許文献１、２）。
【先行技術文献】
【特許文献】
【０００３】
【特許文献１】特許第４４６３１７７号公報
【特許文献２】特開２０１０−１７８８５７号公報
【非特許文献】
【０００４】
【非特許文献１】Mann et al.,BMJ 1986;Brandon et.,J Pediatr2002
【考案の概要】
【考案が解決しようとする課題】
【０００５】
本考案は、赤外線を遮断できるハロゲンランプと、前記ハロゲンランプと特定波長の光制御フィルタが組み合わされたもので、終日点灯した場合であっても、新生児に対して悪影響を及ぼすことがない新生児用の照明器具を提供することを課題とする。
【課題を解決するための手段】
【０００６】
本考案は、課題の解決手段として、口金、ミラー、電球及びミラーの開口部を覆う保護ガラスを有するハロゲンランプであって、
前記保護ガラスの表面に金属、金属酸化物及び金属フッ化物から選ばれたものからなる薄膜層を有しており、
前記薄膜層を有する保護ガラスが、赤外線を遮断できる赤外線遮断作用を有しているものであるハロゲンランプを提供する。
【０００７】
本考案は、他の課題の解決手段として、セードと、セード内に収容されたハロゲンランプ、セードに接続されたアームを少なくとも有している新生児用の照明器具であって、
前記ハロゲンランプとして、上記のハロゲンランプが使用され、前記セード内に、熱可塑性樹脂及び着色成分を含む樹脂組成物からなる平板状成形体であって、波長６５０ｎｍ以下の光を遮断し、波長６５０ｎｍを超える任意の可視光を透過できる光制御作用を有している光制御フィルタが配置されている、新生児用の照明器具を提供する。
【考案の効果】
【０００８】
本考案のハロゲンランプと光制御フィルタを組み合わせて使用した新生児用の照明器具は、照明器具を終日点灯した場合でも新生児に悪影響を及ぼすことがなく、授乳時や緊急時にも対応が容易である。
【図面の簡単な説明】
【０００９】
【図１】本考案のハロゲンランプの分解図（組立方法の説明図）（但し、一部を切り取って示している）。
【図２】本考案のハロゲンランプの側面図（但し、一部を切り取って示している）。
【図３】本考案の実施形態である照明器具の側面図の分解図（組立方法の説明図）。
【図４】図３に示す照明器具の側面図（但し、一部を切り取って示している）。
【図５】図３に示す照明器具で使用したリング状取り付け具の斜視図。
【図６】本考案の照明器具の使用方法を説明するための図。
【考案を実施するための形態】
【００１０】
＜ハロゲンランプ＞
図１、図２により本考案のハロゲンランプを説明する。
ハロゲンランプ１は、照明器具に接続するための口金２、ミラー３、電球４、薄膜層を有する保護ガラス５を有している。薄膜層を有する保護ガラス５を除いたハロゲンランプは汎用品を使用することができる。
【００１１】
ミラー３は、電球４を包囲するように傘状に開いた状態のものであり、円錐状、角錐状、半球状又はそれらに類似した形状にすることができる。
ミラー３の内表面３ａは、反射板としての機能を有するものであり、例えばダイクロイックミラーを使用することができる。
ミラー３の外表面３ｂは、光が漏れないように遮光状態にしてもよい。遮光状態にするときには、例えば、外表面３ｂを黒色塗装したり、外表面３ｂを黒色の被覆材で覆ったりすることができる。
【００１２】
ミラー３の開口部は保護ガラス５で覆われており、電球４から照射された可視光は、外部に漏れることなく、保護ガラス５から照射されるようになっている。
保護ガラス５は、一面５ａ及びその裏面５ｂのいずれかの面に薄膜層が形成されている。図２では、図１の面５ａに薄膜層６が形成されたものを示している。
【００１３】
保護ガラス５は、ガラス、プラスチック（ポリカーボネート、アクリル樹脂等からなる有機ガラス）を使用することができるが、電球４から発せられる熱線に対する耐熱性を確保するため、常用使用温度（連続して使用できる温度）が２００℃以上であること及び最高使用温度が４００℃以上であることの少なくも一方を満たす耐熱ガラスであることが好ましい。
保護ガラス５として使用できる常用使用温度が２００℃以上の耐熱ガラスとしては、テンパックス（登録商標；独ショット社製，常用使用温度230℃，最高使用温度490℃）、バイコール（登録商標；米国コーニング社製，常用使用温度900℃）、石英ガラス（常用使用温度900℃）、パイレックス（登録商標；米国コーニング社製，常用使用温度230℃，最高使用温度490℃）から選ばれるものを挙げることができる。
保護ガラス５として使用できる最高使用温度が４００℃以上の耐熱ガラスとしては、上記のほかにネオセラム（登録商標；日本電気硝子社製，最高使用温度700℃）、ファイアライト（商品名；日本電気硝子社製）から選ばれるものを挙げることができる。
【００１４】
保護ガラス５の表面に形成された薄膜層６は、金属、金属酸化物及び金属フッ化物から選ばれたものからなる薄膜層であり、薄膜層は蒸着膜層であることが好ましい。また蒸着膜層は単層でもよいし、異なるものからなる複数層でもよい。
保護ガラス５に形成された薄膜層６は、金属、金属酸化物（TiO2、Nb2O5、Ta2O5、Al2O3、SiO2、ZrO2等）及び金属フッ化物（MgF2等）から選ばれたものからなる薄膜層（蒸着膜層）であることが好ましい。
【００１５】
蒸着膜層は、周知の真空蒸着法、スパッタリング法、イオンプレーティング法等を適用して形成することができる。
例えば、真空蒸着法を適用するときは、汎用の真空蒸着装置を使用して、真空度１０-4〜１０-5Torrで蒸着膜を形成する。
薄膜層（蒸着膜層）の厚みは、１〜１０μm程度である。
【００１６】
薄膜層６を有する保護ガラス５は、赤外線を遮断できる赤外線遮断作用を有しているものである。
赤外線を遮断できるとは、赤外線を８０％以上遮断できることであり、好ましくは８５％以上、より好ましくは９０％以上、さらに好ましくは９５〜１００％遮断できることを意味する。
【００１７】
薄膜層６を有する保護ガラス５が、赤外線遮断作用ができるようにする場合、本願発明の課題を解決するためには赤外線を透過させずに可視光を透過させる必要がある。
赤外線遮断作用ができる保護ガラス５は市販品を使用することができ、例えば、赤外線を透過させずに可視光を透過させることができる、商品名ＩＲカットフィルター（セラテックジャパン株式会社製）、商品名ＭＦ−ＣＬＤコールドフィルター（株式会社美館イメージング製）等を挙げることができる。
【００１８】
＜照明器具＞
本考案の照明器具としては、卓上照明器具、フロアランプのようなものが好ましく、特にデスクランプやテーブルランプのような卓上照明器具が好ましい。なお、本考案では、クランプにより卓（台）に対して着脱自在に固定できるアームライトも卓上照明器具に含まれるものである。
【００１９】
図３及び図４により、本考案の照明器具として、汎用品であるアームライト１０を使用した場合の実施形態を説明する。図４では、ハロゲンランプ１が見えるように、セード１１の一部を切り取った状態で示している。
【００２０】
アームライト１０は、セード１１と、セード１１内に収容されたハロゲンランプ１、セード１１に接続されたアーム１６を有している。セード１１の背面側には、電源スイッチ１５が取り付けられている。
セード１１の開口部近傍には、光制御フィルタ２０が配置されている。
光制御フィルタ２０は、ハロゲンランプ１から発せられた光が、セード１１から漏れ出ることなく通過できるように配置されていればよい。
【００２１】
光制御フィル２０は、熱可塑性樹脂及び着色成分を含む樹脂組成物からなる平板状成形体（円盤）であり、波長６５０ｎｍ以下の光を遮断し、波長６５０ｎｍを超える任意の可視光を透過することができるのものである。
波長６５０ｎｍ以下の光を遮断するとは、波長６５０ｎｍ以下の光を８０％以上遮断できることであり、好ましくは８５％以上、より好ましくは９０％以上、さらに好ましくは９５〜１００％遮断できることを意味する。
波長６５０ｎｍを超える任意の可視光を透過するとは、波長６５０ｎｍを超える可視光の８０％以上透過できることであり、好ましくは８５％以上、より好ましくは９０％以上、さらに好ましくは９５〜１００％透過できることを意味する。
なお、ここで波長６５０ｎｍを超える任意の可視光を透過するとは、例えば、６５０ｎｍ超〜６７０ｎｍ未満の可視光は通過させず、６７０ｎｍ以上の可視光又は６７０ｎｍを超える可視光を通過させるような実施形態を含むことを意味する。
【００２２】
光制御フィルタ２０は、特許第４４６３１７７号公報に記載された熱可塑性樹脂及び着色成分を含む樹脂組成物からなる保育器フード用カバーと同じものを使用することができる。
具体的には、特許第４４６３１７７号公報にも記載されている、特開平６−１８４９８７号公報、特開平７−２７５２８９号公報、特開２００１−３５６２１２号公報、特開２００５−１２６６２４号公報に記載された遮光性材料、商品名レーザカーテン（山本光学（株）製）、商品名サンマイルドＧＹ−５１Ｒ（リンテック（株）製）を用いることができる。
光制御フィルタ２０は、強度を維持するため、上記の遮光性材料等をアクリル樹脂やポリカーボネート等からなる透明樹脂板やガラス板に積層したものを使用することもできる。なお、ガラス板を使用するときは、耐熱ガラスである必要はない。
【００２３】
アームライト１０のセード１１への光遮断フィルタ２０の取り付け方法は、特に制限されるものではない。
図３及び図４では、リング状取り付け具３０を使用して、アームライト１０のセード１１の開口部近傍に光遮断フィルタ２０を取り付けている。
リング状取り付け具３０は、図５に示すように内周面にネジ部３１を有しており、周面３２の一端側開口には、内周縁から内側に突き出された平板環状部３３を有している。
【００２４】
リング状取り付け具３０を使用して光遮断フィルタ２０を取り付けるときは、次の手順により取り付けることができる。
まず、リング状取り付け具３０内に光遮断フィルタ２０を入れる。このとき、リング状取り付け具３０が平板環状部３３を有していることから、光遮断フィルタ２０は内部に保持される。
次に、その状態のまま、セード１１の開口部近傍の外側表面に形成されたネジ部１７に対して、リング状取り付け具３０のネジ部３１をねじ込む。
光遮断フィルタ２０を取り外すときは、逆の手順で容易に取り外すことができる。
【００２５】
この取り付け方法は、セード１１の開口部近傍の外側表面にもネジ部１７を形成した実施形態で説明したが、前記ネジ部を形成しない方法でもよい。
例えば、リング状取り付け具３０を弾力性のある材質（プラスチックやゴム等）から形成し、リング状取り付け具３０の内径とセード１１の開口部の外径を調整して、セード１１にリング状取り付け具３０を嵌め込んだとき、リング状取り付け具３０の内表面によりセード１１の開口部の外表面が締め付けられるようにして嵌め込まれるようにしてもよい。また、さらにリング状の締め付け具等を組み合わせて使用してもよい。
【００２６】
次に、図６により、図４に示す本考案の照明器具（アームライト）１０の使用方法を説明する。
台５２の上に保育器フード５１を有する保育器５０が置かれている。台５２には、照明器具（アームライト）１０がクランプ１８にて固定されている。
アームライト１０を点灯したとき、光遮断フィルタ２０の光制御作用により、保育器５０内の新生児には、波長６５０ｎｍ以下の光が遮断され、６５０ｎｍを超える可視光が透過された状態で照射されていることになる。このため、新生児には睡眠障害等の悪影響を及ぼすことがない。
また、アームライト１０では、ハロゲンランプ１が赤外線遮断作用をするため、光制御フィルタ２０が熱で劣化することが防止される。
本考案の照明器具１０は、夜間、保育器外（新生児室内又は新生児室外）で母親が新生児に授乳するときにも使用することができ、そのときにも新生児には睡眠障害等の悪影響を及ぼすことがない。なお、本考案の照明器具１０は、病院外（例えば、各家庭）においても使用することができる。
【００２７】
本考案のハロゲンランプを使用した照明器具は、新生児用の照明器具として新生児室内又は新生児室外、病院外（例えば、各家庭）にて使用するものであるが、動物飼育用の照明器具として飼育室等で使用した場合には、動物を刺激したり、動物に悪影響を与えたりすることなく、夜間でも、人（飼育員等）が目視で動物の状態を観察できるようになる。
【実施例】
【００２８】
実施例１＜ハロゲンランプ＞
赤外線遮断作用を有する保護ガラスとして商品名ＭＦ−ＣＬＤコールドフィルター（株式会社美館イメージング製）と市販のハロゲンランプを使用して、図１、２に示すハロゲンランプを得た。
【００２９】
実施例２＜アームライト＞
ハロゲンランプとして実施例１で得たハロゲンランプを使用し、光制御フィルタとしてポリカーボネート板に厚さ０．７５ｍｍの商品名レーザカーテン（山本光学（株）製）を固定したものを使用し、図４、図５に示すアームライトを得た。
この光制御フィルタを備えたアームライトは、光透過性を日立ハイテクノロジー製「U−4100型分光光度計」により測定したところ、６５０ｎｍ以下の光をほぼ１００％遮断し、６５０ｎｍを超える光をほぼ１００％透過した。
【符号の説明】
【００３０】
１  ハロゲンランプ
２  口金
３  ミラー
４  電球
５  保護ガラス
６  薄膜層
１０  照明器具（アームライト）
１１  セード
１５  スイッチ
１６  アーム
１８  クランプ
５０  保育器
５１  保育器フード
【図１】
0003168393.tif 000003
【図２】
0003168393.tif 000004
【図３】
0003168393.tif 000005
【図４】
0003168393.tif 000006
【図５】
0003168393.tif 000007
【図６】
0003168393.tif 000008